【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
天板及び側板と、前記側板に棚受けを介して支持される棚板とを有し、前記棚板に取り付けた照明器具に電源を供給することで前記照明器具を点灯させる陳列棚において、
前記側板に形成され前記棚受けを取り付ける取付孔の内部に設けられた側板側端子と、
前記側板の内側に配設され、前記側板側端子と電源とを電気的に接続する接続手段と、
前記取付孔に差し込まれることで前記側板側端子と接触して電気的に導通する棚受けと、
前記棚板に設けられ、前記棚板を前記棚受けに載置した際に前記棚受けと接触することで前記照明手段に電源を供給する電源供給端子と、
を有することを特徴とする陳列棚。
【請求項２】
前記取付け孔が前記側板に列状に複数形成されている場合に、前記接続手段が、前記側板の内部に配置された帯状の金属板であることを特徴とする請求項１に記載の陳列棚。
【請求項３】
対向する前記側板に取り付けられた前記棚受けの一方を正極とし、他方を負極として前記照明器具に通電を行うことを特徴とする請求項１又は２に記載の陳列棚の照明装置。
【請求項４】
左右の側板に取り付けられた複数の棚受けによって前記棚板を支持する場合に、正極及び負極の端子の組を複数設け、前記照明器具の複数の発光体に別々に電源供給を可能としたことを特徴とする請求項１〜３のいずれかに記載の陳列棚。
【手続補正２】
【補正対象書類名】明細書
【補正対象項目名】０００５
【補正方法】変更
【補正の内容】
【０００５】
上記目的を達成するため、請求項１に記載の陳列棚の照明装置は、天板（９７）及び側板（９８，９９）と、前記側板に棚受け（１０１）を介して支持される棚板（１００）とを有し、前記棚板に取り付けた照明器具（１０４）に電源を供給することで前記照明器具を点灯させる陳列棚において、前記側板（９８，９９）に形成され前記棚受け（１０１）を取り付ける取付孔（１１１）の内部に設けられた側板側端子と、前記側板の内側に配設され、前記側板側端子と電源とを電気的に接続する接続手段（１０９）と、前記取付孔（１１１）に差し込まれることで前記側板側端子と接触して電気的に導通する棚受け（１０１）と、前記棚板（１００）に設けられ、前記棚板（１００）を前記棚受け（１０１）に載置した際に前記棚受けと接触することで前記照明手段に電源を供給する電源供給端子（１０５〜１０８）とを有する構成としてある。
【手続補正３】
【補正対象書類名】明細書
【補正対象項目名】０００６
【補正方法】変更
【補正の内容】
【０００６】
このように構成した陳列棚の照明装置によれば、照明手段が棚板と一体的になり、棚受けへ棚板を置くだけで照明付きの棚が簡単に構成できる。
【手続補正４】
【補正対象書類名】明細書
【補正対象項目名】０００７
【補正方法】変更
【補正の内容】
【０００７】
請求項２に記載の本発明は、請求項１に記載の陳列棚の照明装置において、
前記取付け孔（１１１）が前記側板（９８，９９）に列状に複数形成されている場合に、前記接続手段（１０９）が、前記側板（９８，９９）の内部に配置された帯状の金属板であることを特徴とする。
【手続補正５】
【補正対象書類名】明細書
【補正対象項目名】０００８
【補正方法】変更
【補正の内容】
【０００８】
また本発明の照明装置は、陳列する商品に応じて見栄えを考慮して赤色照明、緑色照明又は青色照明を選択することができる。３色を同時にオンとすれば白色照明にすることができる。また、３色のＬＥＤの点滅の切り替えを電子回路で制御すれば、３色を同時に、あるいは時間差で切り替えて照明することで、イルミネーションとしての効果がある。
【手続補正６】
【補正対象書類名】明細書
【補正対象項目名】０００９
【補正方法】変更
【補正の内容】
【０００９】
請求項３に記載の本発明は、請求項１または２に記載の陳列棚の照明装置において、
対向する前記側板に取り付けられた前記棚受けの一方を正極とし、他方を負極として前記照明器具に通電を行うようにしたことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項４に記載の本発明は、請求項１から３のいずれかに記載の陳列棚の照明装置において、左右の側板に取り付けられた複数の棚受けによって前記棚板を支持する場合に、正極及び負極の端子の組を複数設け、前記照明器具の複数の発光体に別々に電源供給を可能としている。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
上述のように、本発明の陳列棚の照明装置は、照明手段が棚板と一体的になり、側板の好みの上下位置に設置された棚受けへ棚板を置くだけで照明付きの棚が簡単に構成できる。そのため、美観の極めて優れた陳列棚となる。また、高輝度ＬＥＤを使用することによって明るく照明できるとともに、消費電力の小さな理想的な陳列棚の照明装置が提供できる。
【手続補正１１】
【補正対象書類名】明細書
【補正対象項目名】００１５
【補正方法】変更
【補正の内容】
【００１５】
また、側板内に接続手段を設けることで、通電した棚受けから漏電する事態を避けることができ、多数列で棚を構成した場合に、ゆがみや振動によって隣接した棚受けどうしが接触してもショートすることがない。また、建造物の金属製の柱や壁にも安心して設置することができる。
【手続補正１２】
【補正対象書類名】明細書
【補正対象項目名】００１８
【補正方法】変更
【補正の内容】
【００１８】
以下、本発明の参考例について図１〜図９に基づいて説明する。まず、図１は本発明を適用したオープン形式の陳列棚の照明装置の基本構成を示す概念図である。
１は金属製の左側棚柱、２は右側棚柱で、それぞれ電源アダプター３のプラス端子とマイナス端子に接続され、電源アダプター３はスイッチ４と交流電源プラグ５を介して交流電源へ接続され、前記棚柱１、２へ直流１２Ｖを供給するように構成されている。
６、７は金属製の棚受金具で、前記左右の棚柱１、２の嵌合穴へそれぞれ固定され、棚板８を乗せることで棚の上下位置を決める。上部棚板８はこの実施例ではガラス製とし、その下面には、複数の高輝度ＬＥＤ発行体を列状に並べて配置されたＬＥＤテープ９が貼付され、該ＬＥＤテープ９の両端の端子（プラス端子１０及びマイナス端子１１）がそれぞれ前記棚受金具６、７と接触するように構成される。なお、１２は下部棚板でこの上に商品が展示され、図１の破線の矢印で表したように前記ＬＥＤテープ９の発光により商品が照明される。なお、前記棚板８は、木製などの絶縁体でもよく、また金属製、例えば鋼板制であれば表面を絶縁物でコーティングした上にＬＥＤテープ９を貼付すればよい。
【手続補正１３】
【補正対象書類名】明細書
【補正対象項目名】００３４
【補正方法】変更
【補正の内容】
【００３４】
図１０（１）から（５）は、ガラス棚ショーケースに本発明を適用した実施形態を示す。図１０（１）はショーケースの全体図、（２）はガラス製棚板の裏面図、（３）はショーケースの右側板の構成図、（４）は側板の正面図、（５）はその断面図を示す。９７はガラスショーケースで左右の側板９８、９９には棚板１００を設置するためのダボ金具１０１を固定する複数のダボ穴１０２が設けられている。１枚のガラス製棚板１００を置くために４本のダボ金具１０１が側板９８、９９に取り付けられている。１０３はショーケース９７の底部に設置された電源アダプターである、図１０（２）は、棚板１００の裏面を示し、ＬＥＤテープ１０４が貼付されるとともに、テープ状の端子（プラス端子１０５、１０６及びマイナス端子１０７、１０８）が貼付され、側板９８、９９のダボ金具１０１に棚板１００を置くことで、この端子がダボ金具と接触し、電源アダプター１０３からＬＥＤテープ１０４へ電源が供給され、点灯するように構成されている。この時、２端子２線に電気を供給する単色照明と、４端子４線に電気を供給するイルミネーション照明等も選択的に接続可能となる。
図１０（３）、（４）および（５）は側板９９の詳細を示し、該側板９９には２列の金属製配線板１０９、１１０が埋め込まれている。図１０（５）は配線板１０９の断面図で、複数のダボ穴１１１にはダボ金具１０１がねじ止めあるいは嵌めこみ式で固定できるようになされ、電源アダプター１０３からダボ金具１０１へ通電される。また、配線板１０９の表面は絶縁塗装などで絶縁されている。
【手続補正１４】
【補正対象書類名】明細書
【補正対象項目名】００３６
【補正方法】変更
【補正の内容】
【００３６】
図１１は、ガラスショーケースのダボ金具を吸盤方式とした本発明の他の実施形態を示す。ガラスショーケースは棚板をガラス板とするので、安定的に棚板を固定するためにダボ金具に吸盤を設置した構造がのぞましい。ダボ金具１１２を金属製とし、図１０で説明したように電源を通電できる構造とし、棚板の受部１１３に吸盤１１４を取付け、渦巻状の電線１１５を該吸盤１１４の中央部に設置する。ガラス製棚板は吸盤１１４に吸着し、同時に棚板の導電部と渦巻状の電線１１５とが強固に接触して通電するように構成する。